(57)【要約】【課題】  大容量の記憶装置を設けなくても、記録メディアへの書込に問題が発生した際、その情報の補償をすることができる。【解決手段】  ＤＶＤレコーダは、映像を表わす情報を受付けるエンコーダ２２と、情報を記録する位置が巡回するように、エンコーダ２２が受付けた情報を記憶するＲＡＭ２４と、情報を保持する位置が巡回するように、ＲＡＭ２４がいったん記憶した情報を、電力の供給の有無に関わらず保持するＨＤＤ装置２６と、情報を光ディスクに書込むＤＶＤ装置２８と、ＨＤＤ装置２６が保持した情報を光ディスクに書込むように、ＤＶＤ装置２８を制御するＣＰＵ２０とを含む。【選択図】        図１
2006172653.tif 000002
【特許請求の範囲】
【請求項１】
映像を表わす情報を受付けるための受付手段と、
情報を記録する位置が巡回するように、前記受付手段が受付けた情報を記憶するランダムアクセスメモリと、
情報を保持する位置が巡回するように、ハードディスクの一部の領域に前記ランダムアクセスメモリがいったん記憶した情報を保持する、情報を保持するための容量が前記ランダムアクセスメモリによる情報の記憶の容量以上かつ情報に生じた欠陥の修復に必要な容量に対応する容量である固定ディスク装置と、
情報を光ディスクに書込むＤＶＤ装置と、
前記光ディスクへの書込みに、停電に起因する中断があったか否かを判断するための判断手段と、
前記光ディスクへの書込みに中断があったと前記判断手段が判断した場合、前記固定ディスク装置が保持した情報を再度前記光ディスクに書込むように、前記ＤＶＤ装置を制御するための制御手段とを含む、ＤＶＤレコーダ。
【請求項２】
映像を表わす情報を受付けるための受付手段と、
情報を記録する位置が巡回するように、前記受付手段が受付けた情報を記憶するための記憶手段と、
情報を保持する位置が巡回するように、前記記憶手段がいったん記憶した情報を保持するための保持手段と、
情報を記録メディアに書込むための書込み手段と、
前記保持手段が保持した情報を前記記録メディアに書込むように、前記書込み手段を制御するための制御手段とを含む、映像記録装置。
【請求項３】
前記保持手段は、前記情報を、電力の供給の有無に関わらず保持するための手段を含む、請求項２に記載の映像記録装置。
【請求項４】
前記電力の供給の有無に関わらず保持するための手段は、前記記憶手段による情報の記憶の容量以上の量の情報を保持するための手段を含む、請求項３に記載の映像記録装置。
【請求項５】
前記情報を保持するための手段は、前記情報を保持するための容量が、情報に生じた欠陥の修復に必要な容量に対応する容量である、請求項４に記載の映像記録装置。
【請求項６】
前記電力の供給の有無に関わらず保持するための手段は、固定ディスク装置を含む、請求項３に記載の映像記録装置。
【請求項７】
前記固定ディスク装置は、ハードディスクの一部の領域に前記情報を保持しかつ前記ハードディスクの他の領域に前記映像を表わす情報を保持する装置を含む、請求項６に記載の映像記録装置。
【請求項８】
前記電力の供給の有無に関わらず保持するための手段は、不揮発メモリを含む、請求項３に記載の映像記録装置。
【請求項９】
前記映像記録装置は、前記記録メディアへの書込みに、停電に起因する中断があったか否かを判断するための判断手段をさらに含み、
前記制御手段は、前記記録メディアへの書込みに中断があったと前記判断手段が判断した場合、前記保持手段が保持した情報を再度前記記録メディアに書込むように、前記書込み手段を制御するための手段を含む、請求項２に記載の映像記録装置。
【請求項１０】
前記映像記録装置は、前記書込み手段が前記記録メディアに書込んだ情報に誤りがあるか否かを判断するための判断手段をさらに含み、
前記制御手段は、前記書込み手段が前記記録メディアに書込んだ情報に誤りがあると前記判断手段が判断した場合、前記記録メディアに再度情報を書込むように、前記書込み手段を制御するための手段を含む、請求項２に記載の映像記録装置。
【発明の詳細な説明】
【技術分野】
【０００１】
本発明は、ＤＶＤ（Digital Versatile Disc）レコーダおよび映像記録装置に関し、特に、記録メディアへの書込にエラーが発生したときの再記録が可能なＤＶＤレコーダおよび映像記録装置に関する。
【背景技術】
【０００２】
従来の映像記録再生装置は、特許文献１に開示されるように、ＤＶＤ制御ユニットとハードディスクドライブとに対してそれぞれ別に映像を表現する映像信号を記録させる制御を行なうとともに、映像信号をＤＶＤ−ＲＷとハードディスクの両方に記録させる設定入力を受付け、ＤＶＤ制御ユニットとハードディスクドライブとに対して同一の映像信号を同時に両映像記録媒体に記録させるようにする。
【０００３】
この考案によると、映像を記録する際の信頼性を向上させることができる。
【０００４】
特許文献２は、光ディスクに対するデータの記録再生を行なう光ディスクドライブと、ハードディスクに対するデータの記録再生を行なうハードディスクドライブと、両ディスクドライブによる一連のデータを両ディスクに記録する制御回路と、再生指示を受付ける受付回路と、制御回路により一連のデータを両ディスクに記録しているときに、受付回路により所定のデータの再生指示が受付けられると、ハードディスクに記録された目的のデータを読出して再生する再生用の制御回路とを含む記録装置を開示する。
【０００５】
この発明によると、光ディスクに一連のデータを記録するとともに、同時にこの一連のデータを再生することができる。
【０００６】
特許文献３は、エンコーダ部と、デコーダ部と、ハードディスク装置と、ＤＶＤを着脱できるＤＶＤドライバと、これらの各要素を有効に活用し、ハードディスク装置を一時記録のタイムスリップ用として用いるためのマイクロコンピュータブロックとを含む記録再生装置を開示する。
【０００７】
この発明によると、ＤＶＤシステムの欠点とハードディスクシステムの欠点とを相補い、ＤＶＤシステムの利点とハードディスクシステムの利点とを十分に引出すことができる。
【０００８】
しかし、前述の特許文献１および特許文献２に開示された考案や発明では、光ディスクへの記録の際生じたエラーを補償するために、大容量のハードディスクを必要とするという問題点がある。予め光ディスクにもハードディスクにもデータを記憶させておき、光ディスクに異常が発生した場合にハードディスクに記憶させたデータを光ディスクに書き込むからである。
【０００９】
特許文献３に開示された発明では、光ディスクに情報を書込む際、エラーが発生しても、何ら対策をとり得ないという問題点がある。
【特許文献１】登録実用新案第３０９０１３５号公報
【特許文献２】特開２００１−３３２０３６号公報
【特許文献３】特開２００２−１０９８３１号公報
【発明の開示】
【発明が解決しようとする課題】
【００１０】
本発明は上述の問題点を解決するためになされたものであって、その目的は、大容量の記憶装置を設けなくても、記録メディアへの書込に問題が発生した際、その情報の補償をすることができるＤＶＤレコーダおよび映像記録装置を提供することにある。
【課題を解決するための手段】
【００１１】
上記目的を達成するために、本発明のある局面にしたがうと、ＤＶＤレコーダは、映像を表わす情報を受付けるための受付手段と、情報を記録する位置が巡回するように、受付手段が受付けた情報を記憶するランダムアクセスメモリと、情報を保持する位置が巡回するように、ハードディスクの一部の領域にランダムアクセスメモリがいったん記憶した情報を保持する、情報を保持するための容量がランダムアクセスメモリによる情報の記憶の容量以上かつ情報に生じた欠陥の修復に必要な容量に対応する容量である固定ディスク装置と、情報を光ディスクに書込むＤＶＤ装置と、光ディスクへの書込に、停電に起因する中断があったか否かを判断するための判断手段と、光ディスクへの書込に中断があったと判断手段が判断した場合、固定ディスク装置が保持した情報を再度光ディスクに書込むように、ＤＶＤ装置を制御するための制御手段とを含む。
【００１２】
すなわち、固定ディスク装置は、電力の供給の有無に関わらず、情報を保持する位置が巡回するように、ランダムアクセスメモリがいったん記憶した、映像を表わす情報を、ハードディスクの一部の領域に保持する。他の領域には、受付手段が受付けた、映像を表わす情報が保持される。情報を保持するための容量は、ランダムアクセスメモリによる情報の記憶の容量以上かつ情報に生じた欠陥の修復に必要な容量に対応する容量である。判断手段は、光ディスクへの書込に、停電に起因する中断があったか否かを判断する。制御手段は、光ディスクへの書込に中断があったと判断手段が判断した場合、固定ディスク装置が保持した情報を再度光ディスクに書込むように、書込手段を制御する。これにより、大容量の記憶装置を設けなくても、光ディスクへの書込に、停電に起因する中断があった際、特に安価かつ十分に、その情報の補償をすることができる。その結果、大容量の記憶装置を設けなくても、記録メディアへの書込に、停電に起因する中断があった際、特に安価かつ十分にその情報の補償をすることができるＤＶＤレコーダを提供することができる。
【００１３】
本発明の他の局面にしたがうと、映像記録装置は、映像を表わす情報を受付けるための受付手段と、情報を記録する位置が巡回するように、受付手段が受付けた情報を記憶するための記憶手段と、情報を保持する位置が巡回するように、記憶手段がいったん記憶した情報を保持するための保持手段と、情報を記録メディアに書込むための書込手段と、保持手段が保持した情報を記録メディアに書込むように、書込手段を制御するための制御手段とを含む。
【００１４】
すなわち、保持手段は、情報を保持する位置が巡回するように、記憶手段がいったん記憶した映像を表わす情報を保持する。制御手段は、保持手段が保持した情報を記録メディアに書込むように、書込手段を制御する。これにより、大容量の記憶装置を設けなくても、記録メディアへの書込に問題が発生した際、その情報の補償をすることができる。その結果、大容量の記憶装置を設けなくても、記録メディアへの書込に問題が発生した際、その情報の補償をすることができる映像記録装置を提供することができる。
【００１５】
また、上述の保持手段は、情報を、電力の供給の有無に関わらず保持するための手段を含むことが望ましい。
【００１６】
すなわち、保持手段は、電力の供給の有無に関わらず、情報を保持する位置が巡回するように、記憶手段がいったん記憶した映像を表わす情報を保持する。これにより、大容量の記憶装置を設けなくても、電力の供給に起因して、記録メディアへの書込に問題が発生した際、その情報の補償をすることができる。その結果、大容量の記憶装置を設けなくても、電力の供給に起因して記録メディアへの書込に問題が発生した際、その情報の補償をすることができる映像記録装置を提供することができる。
【００１７】
また、上述の電力の供給の有無に関わらず保持するための手段は、記憶手段による情報の記憶の容量以上の量の情報を保持するための手段を含むことが望ましい。
【００１８】
すなわち、保持手段は、電力の供給の有無に関わらず、情報を保持する位置が巡回するように、記憶手段がいったん記憶した、記憶手段による情報の記憶の容量以上の量の、映像を表わす情報を保持する。これにより、大容量の記憶装置を設けなくても、電力の供給に起因して、記録メディアへの書込に問題が発生した際、より十分に、その情報の補償をすることができる。その結果、大容量の記憶装置を設けなくても、電力の供給に起因して記録メディアへの書込に問題が発生した際、より十分にその情報の補償をすることができる映像記録装置を提供することができる。
【００１９】
また、上述の情報を保持するための手段は、情報を保持するための容量が、情報に生じた欠陥の修復に必要な容量に対応する容量であることが望ましい。
【００２０】
すなわち、保持手段は、電力の供給の有無に関わらず、情報を保持する位置が巡回するように、記憶手段がいったん記憶した、情報に生じた欠陥の修復に必要な容量に対応する容量の、映像を表わす情報を保持する。これにより、大容量の記憶装置を設けなくても、電力の供給に起因して、記録メディアへの書込に問題が発生した際、さらに十分に、その情報の補償をすることができる。その結果、大容量の記憶装置を設けなくても、電力の供給に起因して記録メディアへの書込に問題が発生した際、さらに十分にその情報の補償をすることができる映像記録装置を提供することができる。
【００２１】
また、上述の電力の供給の有無に関わらず保持するための手段は、固定ディスク装置を含むことが望ましい。
【００２２】
すなわち、固定ディスク装置は、電力の供給の有無に関わらず、情報を保持する位置が巡回するように、記憶手段がいったん記憶した映像を表わす情報を保持する。これにより、大容量の記憶装置を設けなくても、記録メディアへの書込に問題が発生した際、安価にその情報の補償をすることができる。その結果、大容量の記憶装置を設けなくても、記録メディアへの書込に問題が発生した際、安価にその情報の補償をすることができる映像記録装置を提供することができる。
【００２３】
また、上述の固定ディスク装置は、ハードディスクの一部の領域に情報を保持しかつハードディスクの他の領域に映像を表わす情報を保持する装置を含むことが望ましい。
【００２４】
すなわち、記憶手段がいったん記憶した映像を表わす情報は、固定ディスク装置によって、ハードディスクの一部の領域に保持される。他の領域には、受付手段が受付けた、映像を表わす情報が保持される。これにより、さらに安価に、記憶手段がいったん記憶した情報を保持できる。さらに安価に情報が保持されるので、大容量の記憶装置を設けなくても、記録メディアへの書込に問題が発生した際、さらに安価にその情報の補償をすることができる。その結果、大容量の記憶装置を設けなくても、記録メディアへの書込に問題が発生した際、さらに安価にその情報の補償をすることができる映像記録装置を提供することができる。
【００２５】
また、上述の電力の供給の有無に関わらず保持するための手段は、不揮発メモリを含むことが望ましい。
【００２６】
すなわち、不揮発メモリは、電力の供給の有無に関わらず、情報を保持する位置が巡回するように、記憶手段がいったん記憶した映像を表わす情報を保持する。これにより、大容量の記憶装置を設けなくても、記録メディアへの書込に問題が発生した際、早くその情報の補償をすることができる。その結果、大容量の記憶装置を設けなくても、記録メディアへの書込に問題が発生した際、早くその情報の補償をすることができる映像記録装置を提供することができる。
【００２７】
また、上述の映像記録装置は、記録メディアへの書込に、停電に起因する中断があったか否かを判断するための判断手段をさらに含むことが望ましい。制御手段は、記録メディアへの書込に中断があったと判断手段が判断した場合、保持手段が保持した情報を再度記録メディアに書込むように、書込手段を制御するための手段を含むことが望ましい。
【００２８】
すなわち、判断手段は、記録メディアへの書込に、停電に起因する中断があったか否かを判断する。制御手段は、記録メディアへの書込に中断があったと判断手段が判断した場合、保持手段が保持した情報を再度記録メディアに書込むように、書込手段を制御する。これにより、大容量の記憶装置を設けなくても、記録メディアへの書込に、停電に起因する中断があった際、その情報の補償をすることができる。その結果、大容量の記憶装置を設けなくても、記録メディアへの書込に、停電に起因する中断があった際、その情報の補償をすることができる映像記録装置を提供することができる。
【００２９】
また、上述の映像記録装置は、書込手段が記録メディアに書込んだ情報に誤りがあるか否かを判断するための判断手段をさらに含むことが望ましい。制御手段は、書込手段が記録メディアに書込んだ情報に誤りがあると判断手段が判断した場合、記録メディアに再度情報を書込むように、書込手段を制御するための手段を含むことが望ましい。
【００３０】
すなわち、判断手段は、書込手段が記録メディアに書込んだ情報に誤りがあるか否かを判断する。制御手段は、書込手段が記録メディアに書込んだ情報に誤りがあると判断手段が判断した場合、記録メディアに再度情報を書込むように、書込手段を制御する。これにより、大容量の記憶装置を設けなくても、書込手段が記録メディアに書込んだ情報に誤りがある場合、その情報の補償をすることができる。その結果、大容量の記憶装置を設けなくても、記録メディアへの書込に誤りがある場合、その情報の補償をすることができる映像記録装置を提供することができる。
【発明の効果】
【００３１】
本発明に係るＤＶＤレコーダおよび映像記録装置は、大容量の記憶装置を設けなくても、記録メディアへの書込に問題が発生した際、その情報の補償をすることができる。
【発明を実施するための最良の形態】
【００３２】
以下、図面を参照しつつ、本発明の実施の形態について説明する。以下の説明では、同一の部品には同一の符号を付してある。それらの名称および機能も同一である。したがって、それらについての詳細な説明は繰返さない。
【００３３】
図１を参照して、本実施の形態に係るＤＶＤレコーダ（映像を記録メディアに記録できる映像記録装置でもある）は、ＣＰＵ（Central Processing Unit）２０と、エンコーダ２２と、ＲＡＭ（Random Access Memory、ランダムアクセスメモリ）２４と、ＨＤＤ（Hard Disk Drive）装置２６と、ＤＶＤ装置２８と、不揮発メモリ３０を含む。ＣＰＵ２０は、本実施の形態に係るＤＶＤレコーダの各部を制御する。エンコーダ２２は、受付けた映像信号および音声信号を、記録メディア（本実施の形態の場合光ディスク）に記録できる信号に変換する。エンコーダ２２は、映像または音声を表わす情報を受付ける。エンコーダ２２は、受付けた情報を、ＭＰＥＧ（Motion Picture Experts Group）にしたがう信号の情報に変換する回路でもある。ＲＡＭ２４は、情報を記録する位置が巡回するように、エンコーダ２２が受付けた情報を一時的に記憶する。ＨＤＤ装置２６は、情報を保持する位置が巡回するように、ＲＡＭ２４がいったん記憶した映像などの情報を保持する。ＨＤＤ装置２６は、そのような情報を、電力の供給の有無に関わらず保持する固定ディスク装置である。本実施の形態の場合、ＨＤＤ装置２６は、そのような映像などの情報を保持するためのリングバッファとして、ハードディスクの一部に容量が６０ＭＢ（メガバイト）の領域を確保する。また、ハードディスクの他の部分にエンコーダ２２が受付けた情報を保持する。これにより、ＨＤＤ装置２６は、ハードディスクの一部の領域に情報を保持しかつハードディスクの他の領域に映像を表わす情報を保持することとなる。「６０ＭＢ」という値の根拠は、次の２点にある。第１の点は、最高の画質で映像を１５秒（１セル分に相当する）録画するために３０ＭＢ必要な点（ＭＰＥＧ符号を用いることが前提である）である。第２の点は、停電から復帰する時や光ディスクへの書込みにエラーが発生した時から領域（この場合、光ディスクにおいて情報を書込むことができる領域のこと）を見つける時までの間、映像を録画するための容量として３０ＭＢ必要な点である。このことは、上述した「ハードディスクの一部の領域」の容量が、映像を表わす情報に生じた欠陥の修復に必要な容量に対応する（特に、映像を表わす情報の記録メディアすなわち光ディスクへの書込みの単位の複数倍に対応する）ことを表わす。これにより、ＨＤＤ装置２６は、大容量の領域を費やすことなく、ＲＡＭ２４による情報の記憶の容量以上の量の情報を保持することができる。ＤＶＤ装置２８は、ＲＡＭ２４およびＨＤＤ装置２６が一時的に記憶した映像などの情報を光ディスクに書込む。不揮発メモリ３０は、ＣＰＵ２０が情報を光ディスクに記録するために必要な情報を記憶する。不揮発メモリ３０の種類は特に限定されない。たとえばＥＥＰＲＯＭ（Electrically Erasable Programmable Read-Only Memory）であってもよい。その他の不揮発メモリの例として、ＥＰ−ＲＯＭ（Erasable Programmable Read-Only Memory）、ＭＲＡＭ（Magnetoresistive Random Access Memory）、および強誘電体メモリ（特にＦｅＲＡＭ（Ferroelectric Random Access Memory））などがある。本実施の形態では、不揮発メモリ３０として、ＥＥＰＲＯＭの改良品であるフラッシュメモリが用いられることとする。
【００３４】
ＲＡＭ２４は、アドレスデータエリア３４を含む。アドレスデータエリア３４は、ＶＯＢＵ（Video Object Unit）のアドレス（後述）を記憶するデータテーブルである。
【００３５】
図２を参照して、ＤＶＤ装置２８で光ディスクに書込まれる映像などの情報は、プログラムチェーン（以下ＰＧＣと略す）と呼ばれる。ＰＧＣは、複数のセル４０を含む。１つのセル４０は、複数のＶＯＢＵ４２を含む。１つのＶＯＢＵ４２は、ナビパック４４とビデオパック４６と、オーディオパック４８とを含む。ナビパック４４は、光ディスクに書込まれた情報を映像および音声として再生するための制御データおよびＶＯＢＵサーチデータを含む。ビデオパック４６は、映像として再生される情報の本体を表わす。オーディオパック４８は、音声として再生される情報の本体を表わす。
【００３６】
図３を参照して、ナビパック４４は、ＰＣＩ（Play Control Information）パック５０と、ＤＳＩ（Data Search Information）パック５２とを含む。ＰＣＩパック５０は、映像や音声の再生に関する情報を表わす。ＤＳＩパック５２は、アクセスに関する情報を表わす。
【００３７】
ＰＣＩパック５０は、ＰＣＩ＿ＧＩ６０を含む。ＰＣＩ＿ＧＩ６０は、ＶＯＢＵ４２の先頭のアドレスを表わす情報を含む。ＤＳＩパック５２は、ＤＳＩ＿ＧＩ６２と、ＳＭＬ＿ＰＢＩ６４と、ＶＯＢＵ＿ＳＲＩ６６とを含む。ＤＳＩ＿ＧＩ６２は、ＶＯＢＵ４２の先頭のアドレスを表わす情報を含む。この先頭のアドレスは、上述したＰＧＣの先頭を基準とするアドレスである。ＳＭＬ＿ＰＢＩ６４は、「ＶＯＢ＿Ｖ＿Ｅ＿ＰＴＭ」と呼ばれる情報を含む。この「ＶＯＢ＿Ｖ＿Ｅ＿ＰＴＭ」は、セル内の映像が終了する時間を表わす。この「映像が終了する時間」の値は、同じセル４０に含まれるＶＯＢＵ４２において同一である。「映像が終了する時間」の値は、セル４０のうち最後のＶＯＢＵが作成された時点で決定される。ＶＯＢＵ＿ＳＲＩ６６は、自らが含まれたＶＯＢＵ４２から、１個〜１５個、２０個、６０個、１２０個、および２４０個離れた位置にあるＶＯＢＵ（前にあるＶＯＢＵも後ろにあるＶＯＢＵも含まれる）の先頭アドレスまでの差分データ（アドレスの数）を表わす情報を含む。前にあるＶＯＢＵの先頭アドレスまでの差分データは、ＢＷＤＩ（１）〜ＢＷＤＩ（２０）と表わされる。後にあるＶＯＢＵまでの差分データは、ＦＷＤＩ（１）〜ＦＷＤＩ（２０）と表わされる。図４は、ＢＷＤＩ（１）〜ＢＷＤＩ（２０）およびＦＷＤＩ（１）〜ＦＷＤＩ（２０）が差分データを表わすことを示す図である。ＢＷＤＩ（１）〜ＢＷＤＩ（２０）はＶＯＢＵ４２を作成する際に設定される。ＦＷＤＩ（１）〜ＦＷＤＩ（２０）はＶＯＢＵ４２を作成する際には設定できない。
【００３８】
図５を参照して、ＤＶＤレコーダで実行されるプログラムは、映像のＨＤＤ装置２６への書込に関し、以下のような制御構造を有する。
【００３９】
ステップ１１０（以下、ステップをＳと略す。）にて、ＣＰＵ２０は、エンコーダ２２からの情報を受取る。このとき受取られる情報は、１つのＶＯＢＵに相当する。ＣＰＵ２０は、受取った情報をＲＡＭ２４に格納する。情報がＲＡＭ２４に格納される際、ＣＰＵ２０は、受取った情報にナビパック４４を付加する。
【００４０】
Ｓ１１２にて、ＣＰＵ２０は、ＲＡＭ２４に格納した情報のうち、ＶＯＢＵの先頭アドレス（基準はＰＧＣの先頭である）をアドレスデータエリア３４に格納する。ビデオ用のフォーマットの場合、ＶＯＢＵのナビパック４４の部分に、後で作成されるＶＯＢＵのアドレス位置を記入する必要がある。これが、ＶＯＢＵの先頭アドレスをアドレスデータエリア３４に記録する理由である。
【００４１】
Ｓ１１４にて、ＣＰＵ２０は、ＲＡＭ２４に一定量の情報を書込んだか否かを判断する。ＶＯＢＵそれぞれの情報のサイズはそれほど大きくない。ＶＯＢＵごとに情報をＨＤＤ装置２６に書込むと、効率が悪い。このため、ＣＰＵ２０は、ＲＡＭ２４にある程度の情報が貯まったらそれらの情報をＨＤＤ装置２６に書込むこととする。一定量の情報を書込んだと判断した場合（Ｓ１１４にてＹＥＳ）、処理はＳ１１６へと移される。もしそうでないと（Ｓ１１４にてＮＯ）、処理はＳ１１０へと移される。Ｓ１１６にて、ＣＰＵ２０は、ＲＡＭ２４の情報をＨＤＤ装置２６に書込む。
【００４２】
Ｓ１１８にて、ＣＰＵ２０は、書込む情報がセル４０の最初の書込にあたる場合、書込んだ情報のＨＤＤ装置２６における開始アドレスをＨＤＤセルアドレステーブル（このステップにおいてはＣＰＵ２０に記憶されている）の開始アドレスとして自らが内蔵するレジスタに読込む。開始アドレスが読込まれると、ＣＰＵ２０は、ＨＤＤセルアドレステーブルに、セル４０として書込んだ情報の開始アドレスを、セルごとに記録する。開始アドレスを記録する理由は、停電などにより情報を書き直す際に、セルの情報がどこから始まっているのか探す手間を省くためである。本実施の形態の場合、「ＨＤＤ上の開始アドレス」は、ＨＤＤ装置２６が情報を保持する領域（ＨＤＤ装置２６にバッファ用として用意された領域）の先頭アドレスを基準する。
【００４３】
Ｓ１２０にて、ＣＰＵ２０は、書込んだ情報の終了アドレス（ＨＤＤ装置２６におけるアドレス）をＨＤＤセルアドレステーブルの終了アドレスとして自らが内蔵するレジスタに読込む。終了アドレスが読込まれると、ＣＰＵ２０は、ＨＤＤセルアドレステーブルに、セル４０として書込んだ情報の終了アドレスを、セルごとに記録する。終了アドレスを記録する理由は、停電などにより情報を書き直す際に、セルの情報がどこで終了したのか探す手間を省くためである。Ｓ１２２にて、ＣＰＵ２０は、ＨＤＤセルアドレステーブルを不揮発メモリ３０に記録する。不揮発メモリ３０に記録する理由は、停電後に書込みを再開するセルを知る必要がある点にある。
【００４４】
Ｓ１２４にて、ＣＰＵ２０は、ＨＤＤ装置２６に一定量以上の情報（エンコーダ２２によりエンコードされた情報）を書込んだか否かを判断する。一定量以上の情報を書込んだと判断した場合（Ｓ１２４にてＹＥＳ）、処理はＳ１２６へと移される。もしそうでないと（Ｓ１２６にてＮＯ）、処理はＳ１１０へと移される。
【００４５】
Ｓ１２６にて、ＣＰＵ２０は、ＲＡＭ２４、ＨＤＤ装置２６、ＤＶＤ装置２８に、光ディスクへの書込処理を開始させる。この処理は、後述するＳ１４０〜Ｓ１７６の処理に該当する。
【００４６】
Ｓ１２８にて、ＣＰＵ２０は、ナビパック４４で、セル４０ごとに管理される情報を更新する。この処理を「セルを変える」と称する。ＣＰＵ２０によって更新される情報には、次の情報が含まれる。第１の情報は、ＶＯＢＵ＿ＳＲＩ６６のＢＷＤＩ（１）〜ＢＷＤＩ（２０）である。第２の情報は、各ＶＯＢＵのセル４０内での、経過した時間を表わす情報である。
【００４７】
図６を参照して、ＤＶＤレコーダで実行されるプログラムは、光ディスクへの書込に関し、以下のような制御構造を有する。
【００４８】
Ｓ１４０にて、ＣＰＵ２０は、書込を始める光ディスク上のアドレスをＤＶＤセルアドレステーブルの開始アドレスとして読込む。ビデオフォーマットのＶＴＳＩ（ビデオタイトルセット情報）には、ＰＧＣの先頭を基準とした各セルの開始アドレスおよび終了アドレスが必要となるためである。これらのアドレスが必要となるのは、録画中に停電が起きた場合に、セルのアドレス情報を探す手間を省くためである。また、次に書込を再開するアドレスの検索を容易にするためである。Ｓ１４２にて、ＣＰＵ２０は、ＨＤＤ装置２６から、記録された情報を読出す。
【００４９】
Ｓ１４４にて、ＣＰＵ２０は、１つのＶＯＢＵごとに、ＶＯＢＵ＿ＳＲＩ６６のうちＦＷＤＩ（１）〜ＦＷＤＩ（２０）のいずれかを書換える。ＶＯＢＵ＿ＳＲＩ６６は、アドレスデータエリア３４をもとに書換えられる。Ｓ１４６にて、ＣＰＵ２０は、１つのＶＯＢＵごとに、ＰＣＩ＿ＧＩ６０およびＤＳＩ＿ＧＩ６２のＶＯＢ＿Ｖ＿Ｅ＿ＰＴＭを書換える。ＶＯＢ＿Ｖ＿Ｅ＿ＰＴＭは、最後のＶＯＢＵの情報をもとに書換えられる。Ｓ１４８にて、ＣＰＵ２０は、１つのＶＯＢＵごとに、ＮＶ＿ＰＣＫ＿ＬＢＮを書換える。上述した通り、ＮＶ＿ＰＣＫ＿ＬＢＮは、ＰＧＣの先頭を基準としたＶＯＢＵの先頭のアドレスを表わす情報である。記録エラーなどによりＤＶＤにデータが存在しない領域がある場合、その分アドレスを変更するための処理である。
【００５０】
Ｓ１５０にて、ＣＰＵ２０は、ＨＤＤ装置２６が保持し、かつＳ１４４〜Ｓ１４８にてＣＰＵ２０が書換えた情報を光ディスクに書込むように、ＤＶＤ装置２８を制御する。ＤＶＤ装置２８は、情報を光ディスクに書込む。
【００５１】
Ｓ１５２にて、ＣＰＵ２０は、書込を終了した光ディスク上のアドレスをＤＶＤセルアドレステーブルの終了アドレスとして読込む。本実施の形態の場合、光ディスク上のアドレスとして、ＰＧＣの先頭を基準としたアドレスを記録する。Ｓ１５４にて、ＣＰＵ２０は、ＤＶＤセルアドレステーブルを不揮発メモリ３０に記録する。
【００５２】
Ｓ１５６にて、ＣＰＵ２０は、１セル分のＶＯＢＵを処理したか否かを判断する。１セル分のＶＯＢＵを処理したと判断した場合（Ｓ１５６にてＹＥＳ）、処理はＳ１５８へと移される。もしそうでないと（Ｓ１５６にてＮＯ）、処理はＳ１４２へと移される。
【００５３】
Ｓ１５８にてＣＰＵ２０は、録画が終了した結果、最後の情報を光ディスクに書込んだか否かを判断する。最後の情報を光ディスクに書込んだと判断した場合（Ｓ１５８にてＹＥＳ）、処理はＳ１６０へと移される。もしそうでないと（Ｓ１５８にてＮＯ）、処理は終了する。Ｓ１６０にて、ＣＰＵ２０は、ＶＴＳＩ情報を作成する。ＶＴＳＩ情報が作成されると、ＤＶＤ装置２８は、ＶＴＳＩ情報を光ディスクに書込む。
【００５４】
図７を参照して、ＤＶＤレコーダで実行されるプログラムは、エラーが発生したときの光ディスクへの書込に関し、以下のような制御構造を有する。なお、図７に示すフローチャートの中で、前述の図６に示した処理は同じステップ番号を付してある。それらの処理も同じである。したがって、それらについての詳細な説明はここでは繰返さない。
【００５５】
Ｓ１７０にて、ＣＰＵ２０は、ＶＯＢＵのナビパック情報を書換える。具体的には、ＣＰＵ２０は、上述したＳ１４２〜Ｓ１４８の処理を実施する。
【００５６】
Ｓ１７２にて、ＣＰＵ２０は、ＤＶＤ装置２８が光ディスクに書込んだ情報に誤りがあるか否かを判断する。誤りがあると判断した場合（Ｓ１７２にてＹＥＳ）、処理はＳ１７４へと移される。もしそうでないと（Ｓ１７２にてＮＯ）、処理はＳ１５２へと移される。
【００５７】
Ｓ１７４にてＣＰＵ２０は、光ディスクの上において次に情報を書込むことができる領域を探す。Ｓ１７６にて、ＣＰＵ２０は、見つかった領域に書込中だったセルの情報を書き直す。その際、情報は、セルの先頭から書き直される。
【００５８】
図８を参照して、ＤＶＤレコーダで実行されるプログラムは、停電後の録画の復帰に関し、以下のような制御構造を有する。
【００５９】
Ｓ１８０にて、ＣＰＵ２０は、録画中に停電したか否か（光ディスクへの書込に、停電に起因する中断があったか否か）を判断する。録画中に停電したと判断した場合（Ｓ１８０にてＹＥＳ）、処理はＳ１８２へと移される。もしそうでないと（Ｓ１８０にてＮＯ）、処理は終了する。
【００６０】
Ｓ１８２にて、ＣＰＵ２０は、タイマ録画中だったか否かを判断する。タイマ録画中だったと判断した場合（Ｓ１８２にてＹＥＳ）、処理はＳ１８４へと移される。もしそうでないと（Ｓ１８２にてＮＯ）、処理はＳ１８６へと移される。Ｓ１８４にて、ＣＰＵ２０は、エンコーダ２２に、録画用の信号の受付を開始させる。その信号が表わす情報は、ＨＤＤ装置２６に書込まれる。このとき情報が書込まれる領域は、光ディスクへ書込み直す情報が記録された領域と重複しない。
【００６１】
Ｓ１８６にて、ＣＰＵ２０は、不揮発メモリ３０の中に記憶されたＤＶＤセルアドレステーブルをもとに、書込を再開するセルを決定する。このために、ＣＰＵ２０は、まず光ディスクに記録された情報をチェックする。書込が中断されたセル４０が発見されると、ＣＰＵ２０は、ＨＤＤ装置２６にそのセル４０の情報が正しく記録されているか否かを判断する。正しく記録されている場合、ＣＰＵ２０は、ＨＤＤ装置２６からそのセル４０の情報を読込む。正しく記録されていない場合、ＣＰＵ２０は、ＨＤＤ装置２６からそのセル４０の１つ前のセルの情報を読込む。ＶＯＢＵの途中まで情報が正しく記録されている場合、ＣＰＵ２０は、そのＶＯＢＵの１つ前のＶＯＢＵまでを正しく記録されたセル４０とみなす。情報が読込まれると、ＣＰＵ２０は、読込まれたセル４０の各ＶＯＢＵの先頭アドレスをＨＤＤセルアドレステーブルに追加する。
【００６２】
Ｓ１８８にて、ＣＰＵ２０は、光ディスク上の書込むことができるアドレスを探す。本実施の形態の場合、光ディスクは書換えができないことを前提として動作するが、書換えることができる光ディスクに情報を書込む場合、ＣＰＵ２０は、書込済みのセルに情報を上書してもよい。
【００６３】
Ｓ１９０にて、ＣＰＵ２０は、不揮発メモリ３０上のＨＤＤセルアドレステーブルから、光ディスクに書込を始めるセルのＨＤＤ装置２６におけるアドレスを求める。
【００６４】
Ｓ１９２にて、ＣＰＵ２０は、ＨＤＤ装置２６におけるＶＯＢＵデータを読込む。ＶＯＢＵデータが読込まれると、ＣＰＵ２０は、ＶＯＢＵの先頭アドレスを探す。ナビパックの書換に必要なＶＯＢＵアドレステーブルを作成するためである。本実施の形態において、このときＨＤＤ装置２６に記録されている最後のＶＯＢＵまでを１つのセルとして扱う。Ｓ１９４にて、ＤＶＤ装置２８は、光ディスクにおける書込可能なアドレスからセルの書き直しを始める。
【００６５】
Ｓ１９６にて、ＣＰＵ２０は、タイマ録画中であったか否かを判断する。タイマ録画中であったと判断した場合（Ｓ１９６にてＹＥＳ）、処理はＳ１９８へと移される。もしそうでないと（Ｓ１９６にてＮＯ）、処理はＳ２０２へと移される。
【００６６】
Ｓ１９８にて、ＣＰＵ２０は、ＤＶＤ装置２８に、ＨＤＤ装置２６上の情報を光ディスクに記録させる。Ｓ２００にて、ＤＶＤ装置２８は、タイマ録画が終了した時点で、光ディスクにＶＴＳＩ情報を記録する。ＶＴＳＩ情報を記録させるための具体的な処理は、上述したＳ１６０における処理と同様である。
【００６７】
Ｓ２０２にて、ＣＰＵ２０は、ＤＶＤ装置２８に、ＨＤＤ装置２６上の情報を光ディスクに記録させる。Ｓ２０４にて、ＤＶＤ装置２８は、ＨＤＤ装置２６に記録された情報の記録が終了した後、光ディスクにＶＴＳＩ情報を記録する。ＶＴＳＩ情報を記録させるための具体的な処理は、上述したＳ１６０における処理と同様である。
【００６８】
以上のような構造およびフローチャートに基づく、ＤＶＤレコーダの動作について説明する。
【００６９】
［光ディスクへの書込中にエラーが発生した場合］
ＣＰＵ２０は、エンコーダ２２から受取った情報をＲＡＭ２４に格納する。情報がＲＡＭ２４に格納される際、ＣＰＵ２０は、受取った情報にナビパック４４を付加する（Ｓ１１０）。情報が格納されると、ＣＰＵ２０は、ＶＯＢＵの先頭アドレスをＲＡＭ２４のアドレスデータエリア３４に格納する（Ｓ１１２）。アドレスが記録されると、ＣＰＵ２０は、ＲＡＭ２４に一定量の情報を書込んだか否かを判断する（Ｓ１１４）。この場合、一定量の情報を書込んだと判断するので（Ｓ１１４にてＹＥＳ）、ＣＰＵ２０は、ＲＡＭ２４の情報をＨＤＤ装置２６に書込む（Ｓ１１６）。情報が書込まれると、ＣＰＵ２０は、書込む情報がセル４０の最初の書込にあたる場合、書込んだ情報のＨＤＤ装置２６における開始アドレスをＨＤＤセルアドレステーブルの開始アドレスとして自らが内蔵するレジスタに読込む。開始アドレスが読込まれると、ＣＰＵ２０は、ＨＤＤセルアドレステーブルに、セル４０として書込んだ情報の開始アドレスを、セルごとに記録する（Ｓ１１８）。開始アドレスが記録されると、ＣＰＵ２０は、書込んだ情報の終了アドレス（ＨＤＤ装置２６におけるアドレス）をＨＤＤセルアドレステーブルの終了アドレスに設定する（Ｓ１２０）。終了アドレスが設定されると、ＣＰＵ２０は、ＨＤＤセルアドレステーブルを不揮発メモリ３０に記録する（Ｓ１２２）。ＨＤＤセルアドレステーブルが記録されると、ＣＰＵ２０は、ＨＤＤ装置２６に一定量以上の情報を書込んだか否かを判断する（Ｓ１２４）。当初、ＨＤＤ装置２６には一定量の情報が書込まれていない（Ｓ１２４にてＮＯ）。このため、Ｓ１１０〜１２４の処理が繰返される。その後、最終的に、ＨＤＤ装置２６には一定量の情報が書込まれるので（Ｓ１２４にてＹＥＳ）、ＣＰＵ２０は、書込を始める光ディスク上のアドレスをＤＶＤセルアドレステーブルの開始アドレスとして読込む（Ｓ１４０）。開始アドレスが記憶されると、ＣＰＵ２０は、ＨＤＤ装置２６から情報を読出す（Ｓ１４２）。情報が読出されると、ＣＰＵ２０は、１つのＶＯＢＵごとに、ナビパック４４が含む情報を書換える（Ｓ１７０）。このとき、ＮＶ＿ＰＣＫ＿ＬＢＮも書き換えられる。ＮＶ＿ＰＣＫ＿ＬＢＮは、ＰＧＣの先頭を基準としたナビパック４４のアドレスを記憶するものである。書込にエラーが発生した場合、エラーが発生した領域に記録された情報は利用できないので、ＮＶ＿ＰＣＫ＿ＬＢＮの値もその分スキップさせる必要がある。図９は、そのことを表わす概念図である。ナビパック４４が含む情報が書換えられると、ＤＶＤ装置２８は、書換えられた情報を光ディスクに書込む（Ｓ１５０）。情報が光ディスクに書込まれると、ＣＰＵ２０は、ＤＶＤ装置２８が光ディスクに書込んだ情報に誤りがあるか否かを判断する（Ｓ１７２）。この場合、誤りがあるので（Ｓ１７２にてＹＥＳ）、ＣＰＵ２０は、光ディスクの上において次に情報を書込むことができる領域を探す（Ｓ１７４）。書込むことができる領域が見つかると、ＣＰＵ２０は、見つかった領域に書込中だったセルの情報を先頭から書込み直す（Ｓ１７６）。図１０は、これらの処理の概念を表わす図である。これにより、ＣＰＵ２０は、ＤＶＤ装置２８が光ディスクに書込んだ情報に誤りがあると自らが判断した場合、光ディスクに再度情報を書込むように、ＤＶＤ装置２８を制御する。情報が書込み直されると、Ｓ１４０〜１５０の処理を経て、ＣＰＵ２０は、ＤＶＤ装置２８が光ディスクに書込んだ情報に誤りがあるか否かを判断する（Ｓ１７２）。この場合、誤りがないとすると（Ｓ１７２にてＮＯ）、ＣＰＵ２０は、書込を終了した光ディスク上のアドレスをＤＶＤセルアドレステーブルの終了アドレスとして読込む（Ｓ１５２）。アドレスが読込まれると、ＣＰＵ２０は、ＤＶＤセルアドレステーブルを不揮発メモリ３０に記録する（Ｓ１５４）。ＤＶＤセルアドレステーブルが記録されると、ＣＰＵ２０は、１セル分のＶＯＢＵを処理したか否かを判断する（Ｓ１５６）。まだ１セル分のＶＯＢＵを処理していなければ（Ｓ１５６にてＮＯ）、Ｓ１４０〜１７６の処理が繰返された後、ＣＰＵ２０は、再び１セル分のＶＯＢＵを処理したか否かを判断する（Ｓ１５６）。１セル分のＶＯＢＵを処理していれば（Ｓ１５６にてＹＥＳ）、ＣＰＵ２０は、録画が終了した結果、最後の情報を光ディスクに書込んだか否かを判断する（Ｓ１５８）。最後の情報を光ディスクに書込んでいたとすると（Ｓ１５８にてＹＥＳ）、ＣＰＵ２０は、ＶＴＳＩ情報を作成する。ＶＴＳＩ情報が作成されると、ＤＶＤ装置２８は、ＶＴＳＩ情報を光ディスクに書込む（Ｓ１６０）。ＶＴＳＩ情報が書込まれると、ＣＰＵ２０はセルを変える（Ｓ１２８）。
【００７０】
［停電から復帰した場合］
Ｓ１１０〜Ｓ１７６の処理の合間に、ＣＰＵ２０は、録画中に停電が発生したか否かを判断する（Ｓ１８０）。あるとき停電が発生し復帰したとすると（Ｓ１８０にてＹＥＳ）、ＣＰＵ２０は、タイマ録画中だったか否かを判断する（Ｓ１８２）。タイマ録画中だったとすると（Ｓ１８２にてＹＥＳ）、ＣＰＵ２０は、エンコーダ２２に、録画用の信号の受付を開始させる（Ｓ１８４）。処理が開始されると、ＣＰＵ２０は、不揮発メモリ３０上のＤＶＤセルアドレステーブルをもとに、書込を再開するセルを決定する（Ｓ１８６）。セルが決定されると、ＣＰＵ２０は、光ディスク上の書込むことができるアドレスを探す（Ｓ１８８）。アドレスが見つかると、ＣＰＵ２０は、不揮発メモリ３０上のＨＤＤセルアドレステーブルから、光アドレスに書込み始めるセルのＨＤＤ装置２６におけるアドレスを求める（Ｓ１９０）。ＣＰＵ２０は、ＨＤＤ装置２６におけるＶＯＢＵデータを読込む。ＶＯＢＵデータが読込まれると、ＣＰＵ２０は、ＶＯＢＵの先頭アドレスを探す（Ｓ１９２）。先頭アドレスが見つかると、ＤＶＤ装置２８は、光ディスクにおける書込可能なアドレスからセルの書き直しを始める（Ｓ１９４）。図１１は、これらの処理の概念を表わす図である。書き直しを始めた後、ＣＰＵ２０は、タイマ録画中であったか否かを判断する（Ｓ１９６）。この場合、タイマ録画中であったので（Ｓ１９６にてＹＥＳ）、ＣＰＵ２０は、ＤＶＤ装置２８に、ＨＤＤ装置２６上の情報を光ディスクに記録させる（Ｓ１９８）。これにより、ＣＰＵ２０は、光ディスクへの書込に中断があったと自らが判断した場合、ＨＤＤ装置２６が保持した情報を再度光ディスクに書込むように、ＤＶＤ装置２８を制御することとなる。光ディスクへの記録の結果、タイマ録画が終了した時点で、ＤＶＤ装置２８は、光ディスクにＶＴＳＩ情報を記録する（Ｓ２００）。
【００７１】
以上のようにして、本実施の形態に係るＤＶＤレコーダは、ＲＡＭに記憶された情報を、一旦ＨＤＤ装置に記録する。ＨＤＤ装置に記録された情報が、光ディスクに書込まれる。従来、ＤＶＤ−ＶＩＤＥＯの録画は、ＲＡＭが含むバッファに記憶された情報を、直接光ディスクに書込むことにより実施されていた。このように録画する場合、エラーが発生すると、次に情報を書込むことができる領域を発見するまで、ＭＰＥＧエンコーダを停止させておく必要性が生じる。ＲＡＭの容量が不足しているためである。十分な容量を確保しようとすると、コストが大幅に増大する。ＭＰＥＧエンコーダを稼動させつづけても、本実施の形態の場合、ＨＤＤ装置の特定の領域が、エラー発生時の補償のために用いられる。また、録画中に停電が発生した場合、ＨＤＤ装置に記録されていれば、比較的早く録画を再開できる。ＨＤＤ装置は比較的大きな容量を容易に確保できるので、情報を書込むことができる領域を発見したり修復のための処理を実施したりするまでの間にも、ＭＰＥＧエンコーダを動作させることができる。従来の場合であれば、バッファに記憶された情報は失われる。ＲＡＭの容量が不足しているため、停電からの復帰後、録画を再開するまでの情報を記憶することも困難である。本実施の形態に係るＤＶＤレコーダの場合、そのようなことは極めて少なくなる。情報を記憶するＨＤＤ装置を、安価に確保できるからである。その上、本実施の形態にかかるＨＤＤ装置は、保存用のＨＤＤ装置の一部の領域を光ディスクへの書込のために転用したものである。ＨＤＤ装置が転用されたものなので、ＤＶＤレコーダ全体のコストに与える影響は極めて少ない。その結果、大容量の記憶装置を設けなくても、光ディスクへの書込にエラーが発生したり録画中に停電が発生したりした際、エラーが発生した映像の補償をしたり、早期に録画を再開したりできるＤＶＤレコーダを提供することができる。
【００７２】
なお、ＨＤＤ装置２６の代わりに、不揮発メモリ３０が情報を保持してもよい。この場合、上述の説明においてＨＤＤ装置２６が担当した処理は、不揮発メモリ３０が担当することとなる。
【００７３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００７４】
【図１】本発明の実施の形態に係るＤＶＤレコーダの制御ブロック図である。
【図２】本発明の実施の形態に係るＰＧＣの構造を表わす図である。
【図３】本発明の実施の形態に係るナビパックの構造を表わす図である。
【図４】本発明の実施の形態に係る情報の概念を表わす図である。
【図５】本発明の実施の形態に係る映像のＨＤＤ装置への書込処理の制御の手順を示すフローチャートである。
【図６】本発明の実施の形態に係る光ディスクへの書込処理の制御の手順を示すフローチャートである。
【図７】本発明の実施の形態に係るエラー発生時の光ディスクへの書込処理の制御の手順を示すフローチャートである。
【図８】本発明の実施の形態に係る停電からの復帰後の復帰処理の制御の手順を示すフローチャートである。
【図９】本発明の実施の形態に係るエラー発生時の光ディスクへの書込処理により生じる情報の構造の変更を表わす概念図である。
【図１０】本発明の実施の形態に係るエラー発生時の光ディスクへの書込処理を表わす概念図である。
【図１１】本発明の実施の形態に係る停電からの復帰後の録画データの処理を表わす概念図である。
【符号の説明】
【００７５】
２０  ＣＰＵ、２２  エンコーダ、２４  ＲＡＭ、２６  ＨＤＤ装置、２８  ＤＶＤ装置、３０  不揮発メモリ、３４  アドレスデータエリア、４０  セル、４２  ＶＯＢＵ、４４  ナビパック、４６  ビデオパック、４８  オーディオパック、５０  ＰＣＩパック、５２  ＤＳＩパック、６０  ＰＣＩ＿ＧＩ、６２  ＤＳＩ＿ＧＩ、６４  ＳＭＬ＿ＰＢＩ、６６  ＶＯＢＵ＿ＳＲＩ。
【図１】
2006172653.tif 000003
【図２】
2006172653.tif 000004
【図３】
2006172653.tif 000005
【図４】
2006172653.tif 000006
【図５】
2006172653.tif 000007
【図６】
2006172653.tif 000008
【図７】
2006172653.tif 000009
【図８】
2006172653.tif 000010
【図９】
2006172653.tif 000011
【図１０】
2006172653.tif 000012
【図１１】
2006172653.tif 000013